(57)【要約】【課題】圧覚式靴体内部除臭器の提供。【解決手段】本考案は一種の靴体に設ける除臭器に関わる、該除臭器は空気排出孔を具えた袋体を含めるほか、少なくとも一つ以上の袋体の空気排出孔から靴体内部足指位置に延ばす案内管を含む。そのうち、袋体は交互に膨張/収縮する弾性回復働きを具え、利用者の歩行に従い、圧覚作用により、あらかじめに袋体内部に注入されたアロマオイル又は除臭剤を噴出させ、足指部黴菌の成長を確実にくい止めると共に、靴体内部の臭いを隠す又は分解することにより、脱靴ときの失態を避けられる。【選択図】図１
0003134320.tif 000002
【実用新案登録請求の範囲】
【請求項１】
袋体及び少なくとも一つ以上の案内管を具え、該袋体は少なくとも一つ以上の空気排出孔を具え、
該少なくとも一つ以上の案内管は袋体の空気排出孔より外部延ばし、袋体より放出される物質を所定位置に誘導することを特徴とする圧覚式靴体内部除臭器。
【請求項２】
請求項１記載の圧覚式靴体内部除臭器において、該袋体はさらにその周辺部に注入孔を設けることができることを特徴とする圧覚式靴体内部除臭器。
【請求項３】
請求項１記載の圧覚式靴体内部除臭器において、該袋体はさらにその袋体内部に弾性吸収体を設けることができることを特徴とする圧覚式靴体内部除臭器。
【請求項４】
請求項１記載の圧覚式靴体内部除臭器において、好適は該袋体より放出される物質は足指部付近に誘導することを特徴とする圧覚式靴体内部除臭器。
【請求項５】
請求項１記載の圧覚式靴体内部除臭器において、該除臭器は靴体の靴べろの適切な場所に設けることを特徴とする圧覚式靴体内部除臭器。
【請求項６】
請求項１記載の圧覚式靴体内部除臭器において、該除臭器は靴体のソールの適切な場所に設けることを特徴とする圧覚式靴体内部除臭器。
【請求項７】
請求項１記載の圧覚式靴体内部除臭器において、該除臭器は靴体の中敷きの適切な場所に設けることを特徴とする圧覚式靴体内部除臭器。
【考案の詳細な説明】
【技術分野】
【０００１】
本考案は芳香除臭器、特に一種の靴体内部に具え、利用者の歩行に従い、圧覚作用によりあらかじめに袋体内部に注入されたアロマオイル又は除臭剤を噴出させる除臭器に関わるものである。
【背景技術】
【０００２】
足部の臭いは第三者の前で靴を脱ぐ必要のある方々の悪夢である。足部より放出する悪臭は本人さえ堪らないときがある。ましてや、周りの人がその臭いに注目を浴びることもしばしばである。足部の臭いは性別による区別がない。通常、足部の臭いは高温、湿気、発汗及び黴菌の感染に関わる。また、靴の通気性が悪く湿気高い環境は黴菌の成長繁殖に好適な環境を作り上げる。それらのバイ菌は皮膚の角タンパク質、足部の汗に帯びる尿素、乳酸成分を分解して、異臭を帯びる各種代謝物を形成及び混合した後、密閉された靴体に閉じ込められて、人々が臭う足部の臭いとなる。
【０００３】
よって、靴を一日中に履くと、足部の臭いが臭う。そして、同じ靴を連続して数日も履くと、靴内部はさっぱりした状態を維持しにくいため、バイ菌繁殖が大幅に増加する。このような現象をくい止めるため、靴を脱いだ後できるだけ、換気の良い場所に置くか又はドライヤーなどを用いて靴を乾かす。一方、市販の靴体内部にスプレーする除臭剤は、消費者に短期間内で靴体内部の臭いを分解する。又は靴体内部ゼラニウム油を滴下、あるいはレモンオイルをしみ込んだ綿ボ―ルを入れることも、靴体内部の異臭を除去できる。パンプス又は運動靴を履いた後、足はティーツリー油を滴下したお湯に浸けると、臭いを除去するほか、殺菌効果がある。
【考案の開示】
【考案が解決しようとする課題】
【０００４】
本考案の主な目的は、一種の靴体内部に具え、利用者歩行に従い圧覚作用により、あらかじめ袋体内部に注入されたアロマオイル又は除臭剤を噴出させる一種の圧覚式靴体内部除臭器を提供する。
【０００５】
上述の目的のため、本考案による除臭器は主に空気排出孔を設けた袋体を具えるほか、少なくとも一つ以上の袋体の空気排出孔から靴体内部足指位置に延ばす案内管を含まれる；そのうち、袋体は交互に膨張/収縮する弾性回復働きを具え、利用者の歩行に従い、圧覚作用により、あらかじめ袋体内部に注入されたアロマオイル又は除臭剤を噴出させ、足指部黴菌の成長を確実にくい止める、靴体内部の臭いを隠す又は分解することにより、靴を脱いだときの失態を避けられる。
【課題を解決するための手段】
【０００６】
請求項１の考案は、袋体及び少なくとも一つ以上の案内管を具え、該袋体は少なくとも一つ以上の空気排出孔を具え、
該少なくとも一つ以上の案内管は袋体の空気排出孔より外部延ばし、袋体より放出される物質を所定位置に誘導することを特徴とする圧覚式靴体内部除臭器としている。
請求項２の考案は、請求項１記載の圧覚式靴体内部除臭器において、該袋体はさらにその周辺部に注入孔を設けることができることを特徴とする圧覚式靴体内部除臭器としている。
請求項３の考案は、請求項１記載の圧覚式靴体内部除臭器において、該袋体はさらにその袋体内部に弾性吸収体を設けることができることを特徴とする圧覚式靴体内部除臭器としている。
請求項４の考案は、請求項１記載の圧覚式靴体内部除臭器において、好適は該袋体より放出される物質は足指部付近に誘導することを特徴とする圧覚式靴体内部除臭器としている。
請求項５の考案は、請求項１記載の圧覚式靴体内部除臭器において、該除臭器は靴体の靴べろの適切な場所に設けることを特徴とする圧覚式靴体内部除臭器としている。
請求項６の考案は、請求項１記載の圧覚式靴体内部除臭器において、該除臭器は靴体のソールの適切な場所に設けることを特徴とする圧覚式靴体内部除臭器としている。
請求項７の考案は、請求項１記載の圧覚式靴体内部除臭器において、該除臭器は靴体の中敷きの適切な場所に設けることを特徴とする圧覚式靴体内部除臭器としている。
【考案の効果】
【０００７】
利用者は靴を履いた状態で利用者の歩行による触圧動作により、あらかじめ袋体に注入されたアロマオイル又は除臭剤を利用者の足指部に噴出させ、足指部の黴菌成長を確実にくい止め、もっと積極的な手段により臭い発生を防止し足部の快適性を向上できる。袋体内部にアロマオイル又は除臭剤を注入して置き、アロマオイル又は除臭剤は足部の動作により噴出させ、利用の利便性を大幅に向上できる。足部の運動に従いアロマオイル又は除臭剤を噴出する構造により、靴体内部の臭いを隠す又は分解することにより、除臭効果を確実に向上する。
【考案を実施するための最良の形態】
【０００８】
図１に本考案の立体外観図、図２に本考案の構造断面視図、図３に本考案の第一応用配置状態図を示す。図示の除臭器10は主に袋体11と、少なくとも一つ以上の案内管12を含む。
そのうち、袋体11は少なくとも一つ以上空気排出孔111を具え、交互に膨張/収縮する弾性回復働きを有し、足部の動作に従い、足部の圧覚作用により、アロマオイル又は除臭剤の放出を実現する。案内管12は袋体11の空気排出孔111から外部に延ばし袋体11より放出するアロマオイル又は除臭剤を所定の位置に案内する。原則として、靴体20内部の足指部位置に案内することが好ましい。
【０００９】
使用のとき、除臭器10の袋体11は直接に圧迫力受けない非圧力区域に設けることが好ましい。一例として、図３に示すように除臭器10を靴体20の靴べろ21の適切場所、又は図４及び図５に示すように、除臭器10を靴体20のソール22の適切場所、あるいは図６及び図７に示すように、除臭器10を中敷き23の下部層もしくは中敷き23表面の適切場所に取り付ける。
【００１０】
これにより、利用者の歩行に従い、除臭器10の袋体11は足部の圧覚作用により、アロマオイル又は除臭剤を利用者の足指部に放出する。すなわち、利用者が靴を履いた状態で随時に利用者の足指部にスプレーすることにより、足部の黴菌成長を確実にくい止めるほか、もっと積極的な手段により異臭を防止し足部の快適性を向上できる。
【００１１】
さらに、アロマオイル又は除臭剤をあらかじめ袋体11に注入し、袋体11が交互に膨張/収縮すると共に、空気によりアロマオイル又は除臭剤の分子を放出して、除臭効果を図る。図５の実施例において、案内管12の数を増やして、アロマオイル又は除臭剤の作用範囲を増加させることもできる。本考案を具体化するとき、袋体11と案内管12はプラスチックフイルム吹き出し加工により一体化成型することができる。図３の実施例において、袋体11内部にスポンジを充填した弾性吸収体13と組み合わせることにより、袋体11の弾性回復働きを向上できるほか、アロマオイル又は除臭剤を貯蔵できる。なお、案内管12は図１に示すように、管体両側の圧覚フイルム区間121を残す、又は図８に示すように、管体両側の圧覚フイルム区間を除去するなど、実際組み合わせ使用の必要性に合わせることができる。
【００１２】
特に、アロマオイル又は除臭剤の添加方式は図２に示すように、袋体11の側面に一つ以上の注入孔112を開け、合わせて注入孔112外部位置に貼り合わせフイルム113を設ける。利用者はフイルム113をこじ開けて、アロマオイル又は除臭剤を袋体11に注入し、フイルム113を貼り合わせて、注入孔112を密閉する。
【００１３】
前記した構造設計により、利用者は靴を履いた状態で随時に利用者の足指部にアロマオイル又は除臭剤をスプレーして、黴菌成長をくい止め、より積極手段により異臭の発生を避けるほか、足部の快適性を向上する。特に、袋体内部にアロマオイル又は除臭剤を注入することにより、アロマオイル又は除臭剤は足部の運動に従い放出し、利用の利便性を大幅に向上するほか、靴体内部の異臭除去効果を確実に向上できる。
【図面の簡単な説明】
【００１４】
【図１】本考案の実施例１における除臭器外観の立体図である。
【図２】本考案の除臭器構造の断面視図である。
【図３】本考案の第一応用配置状態図である。
【図４】本考案の第二応用配置状態図である。
【図５】本考案の第三応用配置状態図である。
【図６】本考案の第四応用配置状態図である。
【図７】本考案の第五応用配置状態図である。
【図８】本考案の実施例２における除臭器外部立体図である。
【符号の説明】
【００１５】
10    除臭器
11    袋体
111   空気排出孔
112   注入孔
113   フイルム
12    案内管
121   圧覚フイルム区間
13    弾性吸収体
20    靴体
21    靴べろ
22    ソール
23    中敷き
【図１】
0003134320.tif 000003
【図２】
0003134320.tif 000004
【図３】
0003134320.tif 000005
【図４】
0003134320.tif 000006
【図５】
0003134320.tif 000007
【図６】
0003134320.tif 000008
【図７】
0003134320.tif 000009
【図８】
0003134320.tif 000010